【手続補正書】
【提出日】平成25年8月15日(2013.8.15)
【手続補正１】
【補正対象書類名】特許請求の範囲
【補正対象項目名】全文
【補正方法】変更
【補正の内容】
【特許請求の範囲】
【請求項１】
第１のＩＤで識別される電子的に情報が記述されたページの取得要求をユーザ端末から受け付ける要求受付部と、
前記第１のＩＤとは異なる第２のＩＤで識別されるページに関する情報であるページ関連情報を前記第２のＩＤと対応づけて記憶するページ関連情報記憶部と、
前記ページ関連情報記憶部に記憶された第２のＩＤの中から、前記取得要求で指定された第１のＩＤと関連する第２のＩＤを特定する特定部と、
前記特定部により特定された第２のＩＤと対応づけられたページ関連情報を含むページを前記ユーザ端末へ送信する表示部と、
を備えることを特徴とする情報提供装置。
【請求項２】
第１のＩＤで識別される電子的に情報が記述されたページについて、そのページに関する情報であるページ関連情報の登録を示す操作をユーザが入力した場合に、その操作に対応する要求をユーザ端末から受け付ける要求受付部と、
前記第１のＩＤで識別されるページに対するページ関連情報を登録するためのページを前記ユーザ端末へ送信する表示部と、
前記第１のＩＤとは異なる第２のＩＤに関する情報を記憶するＩＤ記憶部と、
前記ＩＤ記憶部に記憶された第２のＩＤの中から、前記要求で指定された第１のＩＤと関連する第２のＩＤを特定する特定部と、
を備え、
前記表示部は、前記第１のＩＤで識別されるページに対するページ関連情報を登録するためのページとして、前記特定部により特定される第２のＩＤで識別されるページに対するページ関連情報を登録するためのページを表示させる画面要素を含むページを前記ユーザ端末へ送信することを特徴とする情報提供装置。
【請求項３】
前記第１のＩＤおよび前記第２のＩＤは、ネットワーク上での情報ページの位置を階層的に示すＵＲＬであり、
前記第１のＩＤと関連するものとして特定される第２のＩＤは、第２のＩＤであるＵＲＬにおいて意味上または構成上ひとかたまりとして把握できる部分と、前記第１のＩＤであるＵＲＬにおいて意味上または構成上ひとかたまりとして把握できる部分とが共通するものであることを特徴とする請求項１または２に記載の情報提供装置。
【請求項４】
前記第１のＩＤおよび前記第２のＩＤは、ネットワーク上での情報ページの位置を階層的に示すＵＲＬであり、
ＵＲＬの少なくとも一部の要素であり、ＵＲＬにおいて意味上または構成上ひとかたまりとして把握できる要素について、前記第１のＩＤであるＵＲＬと前記第２のＩＤであるＵＲＬとの関連性の判定で同一視すべき要素値を対応づけた要素値記憶部をさらに備えることを特徴とする請求項１から３のいずれかに記載の情報提供装置。
【請求項５】
第１のＩＤで識別される電子的に情報が記述されたページの取得要求をユーザ端末から受け付けるステップと、
前記第１のＩＤとは異なる第２のＩＤと、その第２のＩＤで識別されるページに関する情報であるページ関連情報とを対応づけた所定の記憶領域に記憶された第２のＩＤの中から、前記取得要求で指定された第１のＩＤと関連する第２のＩＤを特定するステップと、
前記特定するステップにおいて特定された第２のＩＤと対応づけられたページ関連情報を含むページを前記ユーザ端末へ送信するステップと、
をコンピュータが実行することを特徴とする情報提供方法。
【請求項６】
第１のＩＤで識別される電子的に情報が記述されたページについて、そのページに関する情報であるページ関連情報の登録を示す操作をユーザが入力した場合に、その操作に対応する要求をユーザ端末から受け付けるステップと、
前記第１のＩＤで識別されるページに対するページ関連情報を登録するためのページを前記ユーザ端末へ送信するステップと、
前記第１のＩＤとは異なる第２のＩＤに関する情報の記憶領域に記憶された第２のＩＤの中から、前記要求で指定された第１のＩＤと関連する第２のＩＤを特定するステップと、
をコンピュータが実行し、
前記送信するステップは、前記第１のＩＤで識別されるページに対するページ関連情報を登録するためのページとして、前記特定するステップにおいて特定される第２のＩＤで識別されるページに対するページ関連情報を登録するためのページを表示させる画面要素を含むページを前記ユーザ端末へ送信することを特徴とする情報提供方法。
【請求項７】
通信網を介してサーバと接続された情報処理装置であって、
ユーザの操作に応じて、第１のＩＤで識別される電子的に情報が記述されたページの取得要求を前記サーバへ送信する手段と、
前記サーバからの応答にしたがって、前記第１のＩＤとは異なる第２のＩＤであって、前記第１のＩＤとの関連性を有する第２のＩＤで識別されるページに関する情報を含むページを画面に表示させる手段と、
を備えることを特徴とする情報処理装置。
【請求項８】
通信網を介してサーバと接続された情報処理装置であって、
第１のＩＤで識別される電子的に情報が記述されたページについて、そのページに関する情報であるページ関連情報の登録を示す操作をユーザが入力した場合に、その操作に対応する所定の要求をサーバへ送信する手段と、
前記サーバからの応答にしたがって、前記第１のＩＤで識別されるページに対するページ関連情報を登録するためのページを画面に表示させる手段と、
を備え、
前記第１のＩＤで識別されるページに対するページ関連情報を登録するためのページは、前記第１のＩＤとの関連性を有する第２のＩＤで識別されるページに対するページ関連情報を登録するためのページを表示させる画面要素を含むことを特徴とする情報処理装置。
【請求項９】
通信網を介してサーバと接続された情報処理装置が、
ユーザの操作に応じて、第１のＩＤで識別される電子的に情報が記述されたページの取得要求を前記サーバへ送信するステップと、
前記サーバからの応答にしたがって、前記第１のＩＤとは異なる第２のＩＤであって、前記第１のＩＤとの関連性を有する第２のＩＤで識別されるページに関する情報を含むページを画面に表示させるステップと、
を実行することを特徴とする情報処理方法。
【請求項１０】
通信網を介してサーバと接続された情報処理装置が、
第１のＩＤで識別される電子的に情報が記述されたページについて、そのページに関する情報であるページ関連情報の登録を示す操作をユーザが入力した場合に、その操作に対応する所定の要求をサーバへ送信するステップと、
前記サーバからの応答にしたがって、前記第１のＩＤで識別されるページに対するページ関連情報を登録するためのページを画面に表示させるステップと、
を実行し、
前記第１のＩＤで識別されるページに対するページ関連情報を登録するためのページは、前記第１のＩＤとの関連性を有する第２のＩＤで識別されるページに対するページ関連情報を登録するためのページを表示させる画面要素を含むことを特徴とする情報処理方法。
【請求項１１】
第１の電子的に情報が記述された情報ページを識別する第１のＩＤと、第２の電子的に情報が記述された情報ページを識別する第２のＩＤとの間の関連度合いを判定する判定部を備える情報処理装置であって、
前記判定部は、前記第１のＩＤに対して前記第２のＩＤが前方一致する程度によって前記関連度合いを判定する
ことを特徴とする情報処理装置。
【請求項１２】
電子的に情報が記述された情報ページを識別するＩＤの所定部分を置き換える置換データを記憶する置換データ記憶部をさらに備え、
前記判定部は、前記第１のＩＤに対して、前記第２のＩＤの前記所定部分を前記置換データで置き換えた第３のＩＤが前方一致する長さの程度によって、第１のＩＤと第２のＩＤとの間の関連度合いを判定する
ことを特徴とする請求項１１に記載の情報処理装置。
【請求項１３】
前記判定部は、前記第２のＩＤにパラメータが含まれる場合、当該パラメータを前記第２のＩＤから除外した上で、前記第１のＩＤと前記第２のＩＤとの間の関連度合いを判定する
ことを特徴とする請求項１１又は１２に記載の情報処理装置。
【請求項１４】
前記第１のＩＤおよび前記第２のＩＤは、ネットワーク上での情報ページの位置を階層的に示すＵＲＬである
ことを特徴とする請求項１１から１３のいずれかに記載の情報処理装置。
【請求項１５】
ＩＤで識別される電子的に情報が記述された情報ページに関連するコメントを当該ＩＤと対応づけて記憶するコメント記憶部と、
前記第２のＩＤをユーザ端末から受信するＩＤ受信部と、
前記第２のＩＤとの関連度合いが高い前記第１のＩＤにより識別される前記第１の電子的に情報が記述された情報ページに関連するコメントをコメント記憶部から読み出し、ユーザ端末へ送信するコメント表示部と、をさらに備える
ことを特徴とする請求項１１から１４のいずれかに記載の情報処理装置。
【請求項１６】
前記第２のＩＤとの関連度合いが高い前記第１のＩＤにより識別される前記第１の電子的に情報が記述された情報ページに関連するコメントをユーザ端末から受信し、コメント記憶部に記憶させるコメント受信部をさらに備える
ことを特徴とする請求項１５に記載の情報処理装置。
【請求項１７】
前記コメント表示部は、コメントに含まれる情報ページを識別するＩＤおよび／またはユーザによるコメントの評価値に応じて、前記ユーザ端末での複数のコメントの表示順序を決定することを特徴とする請求項１５または１６に記載の情報処理装置。
【手続補正２】
【補正対象書類名】明細書
【補正対象項目名】発明の名称
【補正方法】変更
【補正の内容】
【発明の名称】情報提供装置、情報提供方法、情報処理装置、および情報処理方法